(57)【要約】【課題】  蓋の開放開始時に薄肉ヒンジ部の開閉方向を規制することができ、捻り力を支持して薄肉ヒンジ部が破損しないようにすることのできるヒンジ蓋付き容器を提供する。【解決手段】  薄肉ヒンジ部１５を介して本体部１３の周縁に開閉可能に連結された蓋１４を有するヒンジ蓋付き容器１０であって、蓋１４の開放開始時に薄肉ヒンジ部１５による開放方向Ｘを規制する開放開始方向規制手段１６を薄肉ヒンジ部１５の内側に近接して本体部１３と蓋１４とに備え、開放開始方向規制手段１６は、蓋１４に設けられた方形枡状突起物１７と、本体部１３に設けられ、方形枡状突起物１７による凹部１８に嵌め込まれるように係合する嵌込み突起物１９とからなり、且つ方形枡状突起物１７による凹部１８は、本体部１３の周縁に沿った薄肉ヒンジ部１５の幅ｂ1以上の幅ｂ2を有している。【選択図】      図３
2006256620.tif 000002
【特許請求の範囲】
【請求項１】
薄肉ヒンジ部を介して本体部の周縁に開閉可能に連結された蓋を有するヒンジ蓋付き容器であって、
前記蓋の開放開始時に前記薄肉ヒンジ部による開放方向を規制する開放開始方向規制手段を前記薄肉ヒンジ部の内側に近接して前記本体部と前記蓋とに備え、
前記開放開始方向規制手段は、前記本体部又は前記蓋のいずれか一方に設けられた方形枡状突起物と、前記本体部又は前記蓋の他方に設けられ、前記方形枡状突起物による凹部に嵌め込まれるように係合する嵌込み突起物とからなり、
且つ前記方形枡状突起物による凹部は、前記本体部の周縁に沿った前記薄肉ヒンジ部の幅以上の幅を有しているヒンジ蓋付き容器。
【請求項２】
前記方形枡状突起物による凹部の前記周縁に沿った幅方向に対向する内側面には、前記凹部の開口縁部から内側に突出する係止リブが各々設けられており、前記嵌込み突起物の前記周縁に沿った幅方向に背向する外側面には、前記係止リブに係止される係止突起が各々設けられている請求項１記載のヒンジ蓋付き容器。
【発明の詳細な説明】
【技術分野】
【０００１】
本発明は、ヒンジ蓋付き容器に関し、特に、薄肉ヒンジ部を介して本体部の周縁に開閉可能に連結された蓋を有するヒンジ蓋付き容器に関する。
【背景技術】
【０００２】
ヒンジ蓋付き容器は、上部が閉塞された容器本体による本体部の上端周縁や、容器本体の上部に装着されたキャップによる本体部の上端周縁に、薄肉ヒンジ部を介して開閉可能に蓋を連結している。
【０００３】
本体部に対して蓋が閉じている状態や、付勢手段によって蓋が本体部に近接するように付勢されている状態で、蓋の内側に設けた係合部を被係合部に係合することにより、キャップの容器本体への装着時に蓋に付加される捻り力や、落下時に蓋に負荷される衝撃力等を支持させて、薄肉のヒンジ部が破損するのを防止できるようにしたキャップが知られている（例えば、特許文献１参照）。
【特許文献１】特開２００１−２０６４１５号公報
【発明の開示】
【発明が解決しようとする課題】
【０００４】
このようなヒンジ蓋付き容器では、使用者が本来の開放方向とは異なる方向を蓋の開放方向と誤認して蓋を開くことによって、蓋の開放開始時に薄肉ヒンジ部に過度の捻り力が付加される場合がある。
【０００５】
従来のヒンジ蓋付き容器では、薄肉ヒンジ部の本来の開放方向とは異なる方向に蓋を開放した際に、過大な捻り力が薄肉ヒンジ部に付加されることになり、当該薄肉ヒンジ部が破損し易くなる。また特許文献１に記載の係合部を被係合部に係合させることによって薄肉ヒンジ部の破損を防止する手段では、本体部に対して蓋が閉じている状態や、付勢手段によって蓋が本体部に近接するように付勢されている状態では、捻り力や衝撃力等を効果的に支持することが可能であるが、使用者が蓋を開ける時に薄肉ヒンジ部に付加される捻り力を十分に支持することは困難である。
【０００６】
本発明は、蓋の開放開始時に薄肉ヒンジ部が破損しないようにすることのできるヒンジ蓋付き容器を提供することを目的とする。
【課題を解決するための手段】
【０００７】
本発明は、薄肉ヒンジ部を介して本体部の周縁に開閉可能に連結された蓋を有するヒンジ蓋付き容器であって、前記蓋の開放開始時に前記薄肉ヒンジ部による開放方向を規制する開放開始方向規制手段を前記薄肉ヒンジ部の内側に近接して前記本体部と前記蓋とに備え、前記開放開始方向規制手段は、前記本体部又は前記蓋のいずれか一方に設けられた方形枡状突起物と、前記本体部又は前記蓋の他方に設けられ、前記方形枡状突起物による凹部に嵌め込まれるように係合する嵌込み突起物とからなり、且つ前記方形枡状突起物による凹部は、前記本体部の周縁に沿った前記薄肉ヒンジ部の幅以上の幅を有しているヒンジ蓋付き容器を提供することにより、上記目的を達成したものである。
【発明の効果】
【０００８】
本発明のヒンジ蓋付き容器によれば、蓋の開放開始時に捻り力を効果的に支持して薄肉ヒンジ部が破損しないようにすることができる。
【発明を実施するための最良の形態】
【０００９】
本発明の好ましい一実施形態に係るヒンジ蓋付き容器１０は、図１及び図２に示すように、内部に例えばシャンプー等の液体洗剤を収容した容器本体１１の上部に、キャップ１２を装着することによって構成されるものである。キャップ１２は、肩部１１ａや頭部１１ｂを含む容器本体１１の上端部分を覆って配置される本体部１３と、薄肉ヒンジ部１５を介してキャップ１２の本体部１３の周縁に開閉可能に連結される蓋１４とからなる。本実施形態では、容器本体１１の胴部１１ｃは、４方の側面１１ｄ及びこれらの側面１１ｄをつなぐ４箇所の角部１１ｅが滑らかに湾曲しながら連続する略４角形の外周断面形状を備えると共に、胴部１１ｃと連設するキャップ１２もまた、４方の側面１２ｄ及びこれらの側面１２ｄをつなぐ４箇所の角部１２ｅが滑らかに湾曲しながら連続する略４角形の外周断面形状を備えている。一方、キャップ１２の蓋１４は、例えば上部を斜めに面取りした一箇所の角部１２ｅ’において、本体部１３の上端周縁に薄肉ヒンジ部１５を介して連結されており、当該薄肉ヒンジ部１５が設けられた角部１２ｅ’と対角位置にある角部１２ｅに指を係止しつつ蓋１４の開放を行う方向が、薄肉ヒンジ部１５の本来の開放方向Ｘとなっている。
【００１０】
これに対し、略４角形の外周断面形状を備える本実施形態のヒンジ蓋付き容器１０では、4方の側面１１ｄ，１２ｄのうちの何れか一つの側面を容器１０の正面と認識し易く、当該正面と認識した側面１１ｄ，１２ｄに沿って指を上方にスライド移動させて、蓋１４を開放しようとする場合がある。このような場合、側面１１ｄ，１２ｄに沿った指のスライド方向Ｙは、薄肉ヒンジ部１５の本来の開放方向Ｘとはずれることになり、これによって薄肉ヒンジ部１５には捻れ力が付加されることになる。本実施形態では、後述する開放開始方向規制手段１６を備えることにより、スライド方向Ｙに沿った開放方向から、蓋１４が開くのに伴って薄肉ヒンジ部１５の本来の開放方向Ｘに誘導されてゆくまでの間、このような捻れ力を効果的に支持して、薄肉ヒンジ部１５が破損するのを回避できる。
【００１１】
本実施形態のヒンジ蓋付き容器１０は、薄肉ヒンジ部１５を介してキャップ１２の本体部１３の上端周縁に開閉可能に連結された蓋１４を有する容器であって、図３及び図４にも示すように、蓋１４の開放開始時に薄肉ヒンジ部１５による開放方向を規制する開放開始方向規制手段１６を薄肉ヒンジ部１５の内側に近接してキャップ１２の本体部１３と蓋１４とに備えており、この開放開始方向規制手段１６は、蓋１４に設けられた方形枡状突起物１７と、本体部１３に設けられ、方形枡状突起物１７による凹部１８に嵌め込まれるように係合する嵌込み突起物１９とからなり、且つ方形枡状突起物１７による凹部１８は、本体部１３の周縁に沿った薄肉ヒンジ部１５の幅ｂ1以上の幅ｂ2を有している（図３参照）。
【００１２】
本実施形態では、キャップ１２は、合成樹脂成形品であって、図２に示すように、中空スカート状の本体部１３の天面板１３ａの中央部分から下方に突出する円筒状の雌ねじ部１３ｂを、容器本体１１の頭部１１ｂに設けられた雄ねじに螺合することにより、各側面１２ｄを容器本体１１の側面１１ｄに連続させた状態で（図1参照）、同じく合成樹脂成形品である容器本体１１の上端部分に取り付けられる。また本体部１３の天面板１３ａの中央には、容器本体１１の頭部１１ｂ及びキャップ１４の雌ねじ部１３ｂの内側に配置される注出口２０が開口形成されている。この注出口２０を介して、容器本体１１に収容された液体洗剤を注出できる。注出口２０には、蓋１４の中央から下方に突出する開閉ロッド２１が蓋１４の開閉操作に伴って挿抜されて、注出口２０を開閉する。
【００１３】
蓋１４は、薄肉ヒンジ部１５を介在させて本体部１３と一体成形されることにより、本体部１３に対して開閉可能に連結した状態で形成される。蓋１４は、本体部１３と同様の一箇所の角部１２ｅ’が面取りされた略４角形の平面形状を備えると共に、上端周縁部が外側に張り出すように形成されており、指を係止し易くして開閉操作を容易に行えるようになっている。また、薄肉ヒンジ部１５が設けられた角部１２ｅ’とは対角位置にある蓋１４の角部１２ｅには、上端周縁部の下側部分を凹ませて指掛け凹部２２が形成されており、薄肉ヒンジ部１５の本来の開放方向Ｘに蓋１４を開放させる正しい指の係止位置を案内している。さらに、蓋１４の下面側には、同心状に配置された開閉ロッド２１と支持円筒２３とが中央部分から下方に突出して設けられている。開閉ロッド２１は、注出口２０の内径と略同様の外径を有していると共に、その下端外周面に、注出口２０の内径よりも外径が僅かに大きくなった環状段差部２１ａを備えている。蓋１４の下端周縁部１４ａが本体部１３の上端周縁部１３ａに当接するまで蓋１４を閉塞した際に、開閉ロッド２１の環状段差部２１ａが、注出口２０を押し広げるように弾性変形させるか若しくは開閉ロッド２１自身を弾性変形させつつ注出口２０に挿入されて注出口２０の下端周縁に係止されることにより、蓋１４による本体部１３及び注出口２０の閉塞状態を、強固に保持できるようになっている。
【００１４】
キャップ１４の本体部１３と蓋１４とを連結する薄肉ヒンジ部１５は、薄肉ヒンジ部として公知のものであり、図３に示すように、中央が薄肉となっていることにより二つ折りに折り曲げ可能な一対の帯状部分２５によって構成されている。また薄肉ヒンジ部１５は、これらの一対の帯状部分２５の間に配置されて、本体部１３に対して蓋１４を開く側や閉じる側に付勢する付勢手段としての弾性片２４を備えており、いわゆるクリアテックヒンジ形式のヒンジ部となっている。
【００１５】
本実施形態では、蓋１４の開放開始時に薄肉ヒンジ部１５による開放方向を規制する開放開始方向規制手段１６として、蓋１４に設けられた方形枡状突起物１７と、本体部１３に設けられ、方形枡状突起物１７による凹部１８に嵌め込まれるように係合する嵌込み突起物１９とを備える。方形枡状突起物１７は、矩形形状に開口する凹部１８を４方向を囲む側壁によって形成する突起物である。本実施形態では、方形枡状突起物１７は、薄肉ヒンジ部１５が設けられる、蓋１４の面取りされた角部１２ｅ’の周壁２６の一部を４方向の側壁の一つとして、当該周壁２６の内側に配置された３方向を囲むコの字壁２７によって、薄肉ヒンジ部１５の内側に近接して設けられる。またコの字壁２７は、当該コの字壁２７によって形成される凹部１８の幅ｂ2が、本体部１３の周縁に沿った薄肉ヒンジ部１５の幅ｂ1以上となるように設けられ、これによって、方形枡状突起物１７による凹部１８に嵌め込まれるように係合する嵌込み突起物１９もまた、薄肉ヒンジ部１５の幅ｂ1以上の幅を本体部１３の周縁に沿って備えることになる。
【００１６】
嵌込み突起物１９は、薄肉ヒンジ部１５を挟んだ方形枡状突起物１７と対向する位置に、本体部１３の天面板１３ａから上方に突出する中空突起として薄肉ヒンジ部１５の内側に近接して設けられる。嵌込み突起物１９は、方形枡状突起物１７による凹部１８に相当の深さで嵌め込まれるのに十分な高さで突出すると共に、方形枡状突起物１７による凹部１８の矩形形状の開口と略同様の平面形状を備え、薄肉ヒンジ部１５とは反対の側に切欠き面２８を有する略六面体形状に設けられる。また嵌込み突起物１９は、図４に示すように、蓋１４を閉じた際に外周面を凹部１８の内周面に沿わせつつ、方形枡状突起物１７による凹部１８に嵌め込まれるようにして係合されることになる。なお、嵌込み突起物１９は、薄肉ヒンジ部１５と離れる側の上面側縁部が切欠き面２８として斜めに切欠かれて面取りされていることにより、図３に示す開放状態から薄肉ヒンジ部１５を折り曲げて蓋１４を閉じる際に、コの字壁２７の先端が嵌込み突起物１９の上面側縁部に引っかかって蓋１４の回動が阻止されるのを効果的に回避することが可能になる。
【００１７】
そして、上述の構成を備える本実施形態のヒンジ蓋付き容器１０によれば、蓋１４の開放開始時に薄肉ヒンジ部１５の開閉方向を規制することができ、薄肉ヒンジ部１５の本来の開放方向Ｘに蓋１４が誘導されるまでの間、捻り力を効果的に支持して薄肉ヒンジ部１５が破損しないようにすることができる。すなわち、本実施形態によれば、方形枡状突起物１７と、この方形枡状突起物１７による凹部１８にぴったりと嵌め込まれるように係合する嵌込み突起物１９とからなる開放開始方向規制手段１６を備えており、且つ方形枡状突起物１７による凹部１８及びこれに嵌め込まれる嵌込み突起物１９は、本体部１３の周縁に沿った薄肉ヒンジ部１５の幅ｂ1以上の幅ｂ2を有しているので、本体部１３の周縁に沿った幅方向に対向する凹部１８の内側面に、本体部１３の周縁に沿った幅方向に背向する嵌込み突起物１９の外側面を沿わせつつ、蓋１４の開放時に嵌込み突起物１９が凹部１８から外れるまでの相当の開放角度領域に亘って、薄肉ヒンジ部１５に負荷される捻れ力を方向規制手段１６によって支持することが可能になる。これによって、薄肉ヒンジ部１５の本来の開放方向Ｘとは異なる方向Ｙを蓋１４の開放方向と認識して蓋１４が開かれる場合でも、誤った開放方向Ｙから、蓋１４が開くのに伴って薄肉ヒンジ部１５の本来の開放方向Ｘに誘導されてゆくまでの間、過大な捻り力が薄肉ヒンジ部１５に付加されるのを抑制して、当該薄肉ヒンジ部１５が破損しないように効果的に保護することが可能になる。
【００１８】
また、上述の如く薄肉ヒンジ部１５と反対の側に切欠き面２８を設けたので、開放中に方形枡状突起物１７の凹部１８がはめ込み突起物１９と長い区間で接し続け、薄肉ヒンジ部１５の破損をより効果的に防止する。
【００１９】
図５及び図６は、本実施形態のヒンジ蓋付き容器１０における他の開放開始方向規制手段１６’を例示するものであり、この開放開始方向規制手段１６’では、方形枡状突起物１７による凹部１８の本体部１３の周縁に沿った幅方向に対向する内側面には、凹部１８の開口縁部から内側に突出する係止リブ２９が各々設けられており、嵌込み突起物１９の本体部１３の周縁に沿った幅方向に背向する外側面には、係止リブ２９に係止される係止突起３０が各々設けられている。このような開放開始方向規制手段１６’によっても、本体部１３の周縁に沿った幅方向に対向する凹部１８の内側面に、嵌込み突起物１９の外側面から突出する係止突起３０を当接させつつ、上述と同様の作用効果が得られると共に、係止リブ２９に係止突起３０を係止可能な構成を備えていることにより、コの字壁２７に嵌込み突起物１９が嵌めこまれ、誤った開放方向からの開放を抑止する効果が得られ、特に開放初期時に作動方向が規制される作用効果が得られる。
【００２０】
なお、本発明は上記実施形態に限定されることなく種々の変更が可能である。例えば、本発明のヒンジ蓋付き容器は、略４角形の外周断面形状を備える容器である必要は必ずしも無く、円形の外周断面形状等、その他の種々の形状を備える容器であっても良い。また、薄肉ヒンジ部の本来の開放方向を認識し難い容器である必要は必ずしも無く、薄肉ヒンジ部による開放方向が容易に判別可能な容器であっても、誤った方向に蓋が開放される場合もあることから、本発明のヒンジ蓋付き容器を好ましく採用することができる。さらに、薄肉ヒンジ部はクリアテックヒンジによるものである必要は必ずしもなく、容器に収容される収容物は、液体洗剤以外のその他の種々の内容物であっても良い。さらに、蓋は、キャップを介することなく上部が閉塞された容器本体を本体部として当該容器本体に直接連結されるものであっても良い。さらにまた、方形枡状突起物を本体部に設け、嵌込み突起物を蓋に設けても良い。
【図面の簡単な説明】
【００２１】
【図１】本発明の好ましい一実施形態に係るヒンジ蓋付き容器の斜視図である。
【図２】本発明の好ましい一実施形態に係るヒンジ蓋付き容器の図１のＡ−Ａに沿った上部断面図である。
【図３】本発明の好ましい一実施形態に係るヒンジ蓋付き容器の要部を示す部分斜視図である。
【図４】図２のＢ−Ｂに沿った断面図である。
【図５】方向規制手段の他の形態を例示する部分斜視図である。
【図６】方向規制手段の他の形態を例示する、図２のＢ−Ｂに沿った断面図である。
【符号の説明】
【００２２】
１０  ヒンジ蓋付き容器
１１  容器本体
１２  キャップ
１３  キャップの本体部
１４  キャップの蓋
１５  薄肉ヒンジ部
１６，１６’  開放開始方向規制手段
１７  方形枡状突起物
１８  方形枡状突起物による凹部
１９  嵌込み突起物
２０  注出口
２１  開閉ロッド
２４  弾性片
２５  帯状部分
２６  蓋の周壁
２７  コの字壁
２７  弾性片
２８  切欠き面
２９  係止リブ
３０  係止突起
ｂ1   本体部の周縁に沿った薄肉ヒンジ部の幅
ｂ2   本体部の周縁に沿った凹部の幅
Ｘ    薄肉ヒンジ部の本来の開放方向
Ｙ    薄肉ヒンジ部の本来の開放方向と異なる開放方向
【図１】
2006256620.tif 000003
【図２】
2006256620.tif 000004
【図３】
2006256620.tif 000005
【図４】
2006256620.tif 000006
【図５】
2006256620.tif 000007
【図６】
2006256620.tif 000008